(57)【要約】      （修正有）【課題】カバープレートまたはヘッド本体のチャンバを設けてアンダカット構造を形成することにより、ヘッドにおけるウエイト配分の効果を達成し、振動吸収能力を高めるゴルフクラブヘッドを提供する。【解決手段】このゴルフクラブヘッド１００は少なくともヘッド本体と、フェースプレート１２０と、振動吸収リング１３０とを備えている。ヘッド本体はチャンバ１１４を備え、フェースプレート１２０はヘッド本体の正面に設けられ、振動吸収リング１３０はヘッド本体のチャンバ１１４内に設けられるとともに、フェースプレート１２０の裏面に当接しており、このうち振動吸収リング１３０の硬度はヘッド本体の硬度よりも低い。【選択図】図２
0003135787.tif 000002
【実用新案登録請求の範囲】
【請求項１】
少なくとも一つの結合凹部が設けられているチャンバを有するヘッド本体と、
前記ヘッド本体の正面に設けられているフェースプレートと、
前記ヘッド本体の前記チャンバ内に設けられるとともに、前記フェースプレートの裏面に当接し、前記チャンバの前記結合凹部に係合するための少なくとも一つの結合部が設けられ、硬度が前記ヘッド本体の硬度よりも小さい振動吸収リングと、を備えることを特徴とするゴルフクラブヘッド。
【請求項２】
前記ヘッド本体の比重が７．６以上であり、前記フェースプレートの比重が５未満であり、前記振動吸収リングの比重が２未満であることを特徴とする請求項１に記載のゴルフクラブヘッド。
【請求項３】
前記チャンバと前記振動吸収リング内に形成されている振動吸収空間を備えることを特徴とする請求項１に記載のゴルフクラブヘッド。
【請求項４】
前記結合凹部が前記チャンバの開口の周囲に形成されるとともに、前記結合凹部が前記振動吸収リングの外縁に突設され、前記結合凹部に対応し結合することを特徴とする請求項１に記載のゴルフクラブヘッド。
【請求項５】
前記結合凹部が前記チャンバ内に凹設されるとともに、前記ヘッド本体の裏面に向かって凹設され、前記結合部が前記振動吸収リングの一方側に突設されるとともに、前記結合凹部に対応し結合することを特徴とする請求項１に記載のゴルフクラブヘッド。
【請求項６】
前記結合凹部および前記結合部が前記ヘッド本体の下方中間位置に配置され、前記振動吸収リングの比重がヘッド本体の比重未満であることを特徴とする請求項５に記載のゴルフクラブヘッド。
【請求項７】
前記ヘッド本体の背面部に設けられ、前記フェースプレートの裏面を露出させ、前記チャンバが連通している背面穴と、
前記背面穴を覆うように前記ヘッド本体の裏面に取付けられているカバープレートと、を備えることを特徴とする請求項１に記載のゴルフクラブヘッド。
【請求項８】
前記ヘッド本体の底側にはバランスウエイトが装着されていることを特徴とする請求項１に記載のゴルフクラブヘッド。
【請求項９】
前記ヘッド本体には露出凹部が設けられ、前記振動吸収リングが前記露出凹部内に延在するとともに露出していることを特徴とする請求項１に記載のゴルフクラブヘッド。
【請求項１０】
前記振動吸収リングの硬度がショア硬度（Ｓｈｏｒｅ）Ａ５０ないしショア硬度（Ｓｈｏｒｅ）Ｄ９０の間であることを特徴とする請求項１に記載のゴルフクラブヘッド。
【請求項１１】
少なくとも一つの第１の結合凹部および少なくとも一つの第２の結合凹部とを有するチャンバを具備するヘッド本体と、
前記ヘッド本体の正面に設けられているフェースプレートと、
前記ヘッド本体の前記チャンバ内に設けられるとともに、前記フェースプレートの裏面に当接しており、それぞれ前記チャンバの前記第１の結合凹部および前記第２の結合凹部に対応し係合するための少なくとも一つの第１の結合部および少なくとも一つの第２の結合部が設けられている振動吸収リングと、を備えることを特徴とするゴルフクラブヘッド。
【請求項１２】
前記第１の結合凹部が前記チャンバの開口の周囲に形成されるとともに、前記第１の結合凹部が前記振動吸収リングの外縁に突設されて、前記第１の結合凹部に対応し結合することを特徴とする請求項１１に記載のゴルフクラブヘッド。
【請求項１３】
前記第１の結合凹部は、前記チャンバの開口の周囲に周期的に環状に設けられる複数の第１の結合凹部であり、前記第１の結合部は、前記振動吸収リングの外縁に周期的に環状に設けられ、前記複数の第１の結合凹部に対応し結合する複数の第１の結合部であることを特徴とする請求項１２に記載のゴルフクラブヘッド。
【請求項１４】
前記第２の結合凹部が前記チャンバ内に凹設されるとともに、前記ヘッド本体の裏面に向いて凹設されており、前記第２の結合部が前記振動吸収リングの一方側に突設されるとともに、前記第２の結合凹部に対応し結合することを特徴とする請求項１１に記載のゴルフクラブヘッド。
【請求項１５】
前記第２の結合凹部および前記第２の結合部が前記ヘッド本体の下方中間位置に配置され、前記振動吸収リングの比重がヘッド本体の比重未満であることを特徴とする請求項１４に記載のゴルフクラブヘッド
【考案の詳細な説明】
【技術分野】
【０００１】
本考案はゴルフクラブヘッドに関し、特に振動吸収能力を高めたゴルフクラブヘッドに関する。
【背景技術】
【０００２】
従来のゴルフクラブヘッドではより優れた打球効果を得るために、通常は反発係数（Ｃｏｅｆｆｉｃｉｅｎｔ  ｏｆ  Ｒｅｓｔｉｔｕｔｉｏｎ：ＣＯＲ）の好ましい材料（例えばチタンまたはチタン合金）をゴルフクラブヘッドの本体として選択することによって、同じ打撃力下で飛距離を伸ばすことができる。打球に際しては、ゴルフクラブヘッドのフェースプレートがスイング力をボールに伝えることができるが、力学の原理上、フェースプレートには打球によって反作用力（つまり打球応力）が発生して、ゴルフクラブのスイング後に振動が発生してしまう。確かに一部の打球応力はクラブヘッドによって減衰または吸収されるが、残りの振動はシャフトを介してクラブのグリップ位置に伝わってしまうので、打球時においてプレイヤーの手に不快感が生じて、場合によってはゴルフクラブの接合位置の構造的強度に影響を及ぼし、ゴルフクラブの寿命を短くしてしまう。
【０００３】
力学分析において、打球の正確性および方向のコントロール性を高めるために、ボールがクラブヘッドのフェースプレートに接触したとき、フェースプレートは軽微な打球応力の作用を受けて、急速に大きな圧縮変形が起きることで、クラブヘッドに変形が生じやすくするのが好ましい。
【考案の開示】
【考案が解決しようとする課題】
【０００４】
本考案は、振動吸収能力を高めるゴルフクラブヘッドを提供するものである。
本考案では更に、カバープレートまたはヘッド本体のチャンバを設けてアンダカット構造を形成することにより、ヘッドにおけるウエイト配分の効果を達成するゴルフクラブヘッドを提供するものである。
また、クラブヘッドに打球時における緩衝変形空間を設けたゴルフクラブヘッドを提供する。
【課題を解決するための手段】
【０００５】
本考案の実施例によれば、このゴルフクラブヘッドは少なくともヘッド本体と、フェースプレートと、振動吸収リングとを備えている。ヘッド本体は、少なくとも一つの結合凹部が設けられているチャンバを備えている。フェースプレートはヘッド本体の正面に設けられ、振動吸収リングはヘッド本体のチャンバ内に設けられるとともに、フェースプレートの裏面に当接されている。このうち振動吸収リングには、チャンバの結合凹部に係合するための少なくとも一つの結合部が設けられるとともに、振動吸収リングの硬度は実質的にヘッド本体の硬度よりも低い。
（考案の効果）
【０００６】
したがって、本考案のゴルフクラブヘッドでは衝撃を緩和する振動吸収能力を効果的に高めることができる。しかもヘッド本体のチャンバは開放された振動吸収空間またはアンダカット構造（Ｕｎｄｅｒ Ｃｕｔ）を形成することで、振動吸収効果を高めるか、ウエイト配分の効果をもたらすことができる。
【考案を実施するための最良の形態】
【０００７】
本考案の上記およびその他目的、特徴、長所、そして実施例がより明確に理解できるように、本明細書では一連の実施例をあげて説明を行う。ただし、この実施例は本考案の実施形態を説明するためのみというものであり、本考案を限定するものではない、ということに注意を払われたい。
【０００８】
（第１の実施例）
図１および図２を参照する。図１は本考案の第１の実施例に係るゴルフクラブヘッドの正面概略図であり、図２は本考案の第１の実施例に係るゴルフクラブヘッドの断面概略図である。本実施例におけるクラブヘッド１００はアイアン型のクラブヘッドであることが好ましく、ヘッド本体１１０と、フェースプレート１２０と、振動吸収リング１３０とを備えている。フェースプレート１２０は、ボール（図示しない）に直接接触して打撃するようヘッド本体１１０の正面に設けられている。振動吸収リング１３０は、衝撃を緩和する振動吸収力を備え、振動を吸収または軽減することで、プレイヤーの手の部分における快適さを増進できるよう、ヘッド本体１１０内に設けられている。
【０００９】
第１の実施例図１ないし図３を参照する。図３は本考案の第１の実施例に係るゴルフクラブヘッドのヘッド本体に振動吸収リングを装着していないときの正面概略図である。本実施例におけるヘッド本体１１０の材質は例えばカーボンスチール（例えばＳ２０Ｃまたは８６２０カーボンスチール）、ステンレス（例えば１７−４ＰＨステンレス）、合金スチール、鉄・マンガン・アルミニウム合金、ニッケル合金、鋳鉄、チタン合金（例えばＣＰＴｉまたはＴｉ６Ａｌ４Ｖチタン合金）、アルミニウム・マグネシウム合金、タングステン合金または銅合金などの金属材料とすることができる。
【００１０】
ヘッド本体１１０の比重は７.６以上が好ましく、ニーズに応じて、例えば精密鋳造、鋳造、機械加工、ダイキャストまたは鍛造などで一体成型方式で製造するか、または、セグメント接合方式で一体に組み立ててもよい。ヘッド本体１１０にはトゥー部１１１、ヒール部１１２、ネック部１１３およびチャンバ１１４が設けられている。トゥー部１１１およびヒール部１１２はそれぞれヘッド本体１１０の正面の両側に配置されている。ネック部１１３はヘッド本体１１０の一方側に突設されるとともに、ヒール部１１２に近接して、ゴルフクラブのシャフト（図示しない）に結合される。チャンバ１１４はヘッド本体１１０内に設けられ、振動吸収リング１３０を収容し装着するとともに、振動吸収空間Ｓを形成して、クラブヘッド１００の振動吸収能力を高めることができる。
【００１１】
チャンバ１１４はヘッド本体１１０の後下方に凹設されるとともに、フェースプレート１２０のメイン打球領域（またはスイートスポットＳｗｅｅｔ Ｓｐｏｔ）または余剰振動集中領域の裏面、例えばトゥー部１１１またはヒール部１１２の位置に対応するのが好ましい。チャンバ１１４には、振動吸収リング１３０を装着するための第１の結合凹部１１４ａおよび第２の結合凹部１１４ｂが設けられている。第１の結合凹部１１４ａはチャンバ１１４の開口の周囲に形成されるとともに、フェースプレート１２０の裏面に対応しており、このうち第１の結合凹部１１４ａはチャンバ１１４の開口の周囲に周期的に環状に設けられるのが好ましい。第２の結合凹部１１４ｂはチャンバ１１４内に凹設されるとともに、ヘッド本体１１０の裏面に向けて凹設されている。
【００１２】
図２に示すように、本実施例におけるフェースプレート１２０は、例えば嵌設、圧着、硬ろう付、溶接または螺着などの方式でヘッド本体１１０の正面に取付けられ、ボールの打撃に用いる。フェースプレート１２０は反発係数（Ｃｏｅｆｆｉｃｉｅｎｔ  ｏｆ  Ｒｅｓｔｉｔｕｔｉｏｎ：ＣＯＲ）が高い材料または硬度の高い材料、例えば、カーボンスチール、ステンレス（例えば１７−４ＰＨステンレス）、鉄・マンガン・アルミニウム合金、チタン合金（例えばＴｉ６Ａｌ４Ｖまたは ＣＰＴｉチタン合金）、アルミニウム合金または銅合金などの金属材料により製造され、しかもフェースプレート１２０の比重は５未満であるのが好ましい。このうちフェースプレート１２０の硬度（例えばチタン合金）はヘッド本体１１０の硬度（例えばステンレス）よりも高いのが好ましく、これによりクラブヘッド１００の打球効果とボールの飛距離を向上させている。
【００１３】
図４および図５を参照する。図４は本考案の第１の実施例に係るゴルフクラブヘッドの振動吸収リングの正面概略図であり、図５は本考案の第１の実施例に係るゴルフクラブヘッドに振動吸収リングを装着したときの正面概略図である。本実施例における振動吸収リング１３０はヘッド本体１１０のチャンバ１１４内に設けられるとともに、フェースプレート１２０の裏面に当接され、衝撃を緩和する振動吸収能力を提供している。振動吸収リング１３０の形状はチャンバ１１４に対応することで、堅固な装着構造をなすとともに、振動吸収リング１３０がチャンバ１１４に装着された後に振動吸収空間Ｓを形成することができる。
【００１４】
振動吸収リング１３０の硬度はヘッド本体１１０の硬度よりも低く、振動吸収リング１３０の材料は例えばナイロン、ＰＵ材、カーボンファイバ、エポキシ樹脂（Ｅｐｏｘｙ）またはその他熱可塑性エラストマー材質、ラバーおよび高分子重合体材質とする。その硬度はショア硬度（Ｓｈｏｒｅ）Ａ５０ないしショア硬度（Ｓｈｏｒｅ）Ｄ９０の間で調整できるが、ショア硬度（Ｓｈｏｒｅ）Ｄ７０程度であるのが好ましく、しかも振動吸収リング１３０の比重は２未満であるのが好ましい。
【００１５】
振動吸収リング１３０には、それぞれチャンバ１１４の第１の結合凹部１１４ａおよび第２の結合凹部１１４ｂに係合するための第１の結合部１３１および第２の結合部１３２が設けられている。第１の結合部１３１は振動吸収リング１３０の外縁に突設されるとともに、振動吸収リング１３０の外縁に周期的に環状に設けられて、第１の結合凹部１１４ａに対応して結合するのが好ましい。第２の結合部１３２は振動吸収リング１３０の一方側に突設されるとともに、第２の結合凹部１１４ｂに対応することで第２の結合凹部１１４ｂに結合する。
【００１６】
振動吸収リング１３０を装着したとき、振動吸収リング１３０の第１の結合部１３１および第２の結合部１３２は第１の結合凹部１１４ａおよび第２の結合凹部１１４ｂに対応して係合することにより、振動吸収リング１３０をヘッド本体１１０のチャンバ１１４内に堅固に装着し、しかもチャンバ１１４とで振動吸収空間Ｓを形成する。また、振動吸収リング１３０およびチャンバ１１４は、振動吸収リング１３０およびチャンバ１１４の結合安定性を増進するために、更に接着材料（図示しない）を塗布することができる。
【００１７】
本実施例におけるクラブヘッド１００をボールの打撃に用いたとき、まず、ボールはフェースプレート１２０に接触する。続いて、フェースプレート１２０に最大の弾性変形が生じる。最後に、ボールはフェースプレート１２０から離れる。上記ボールを撃つ過程において力学的には、フェースプレート１２０は後方に向かって弾性変形が生じ、勢いや連続した変化によりヘッド本体１１０に対して圧力が作用する。このとき、クラブヘッド１００中の振動吸収リング１３０および振動吸収空間Ｓが衝撃を緩和する変形空間および振動吸収能力を提供するとともに、ボールがフェースプレート１２０上に留まる時間を遅らせて、ひいては方向のコントロール性および打球の正確性を高めて、打球全般の性能を確保することができる。
【００１８】
そして、第２の結合凹部１１４ｂおよび第２の結合部１３２の位置はヘッド本体１１０の下方中間位置であることが好ましく、この場合、振動吸収リング１３０の比重はヘッド本体１１０の比重より小さく、クラブヘッド１００の重量をトゥー部１１１およびヒール部１１２により一層集中させて、ヘッドのウエイト配分の効果を達成することができることに注意されたい。
【００１９】
したがって、本実施例におけるクラブヘッド１００では衝撃を緩和する振動吸収能力を効果的に高めることができ、クラブのグリップの快適性を増進し、ひいてはゴルフクラブの使用寿命を延ばすことができる。
【００２０】
（第２の実施例）
本考案の第２の実施例に係るゴルフクラブヘッドの断面概略図である図６を参照する。以下では、本実施例と第１の実施例との相違についてのみ説明を行い、相似する箇所については説明を省略する。第１の実施例と比較して、第２の実施例におけるクラブヘッド１００は背面穴２４０とカバープレート２５０とを更に備えている。背面穴２４０はヘッド本体１１０の背面部に設けられるとともに、フェースプレート１２０の裏面を露出させるものであるが、この場合、チャンバ２１４は背面穴２４０に連通して、開放された振動吸収空間Ｓ’を形成している。
【００２１】
カバープレート２５０は、背面穴２４０を覆うようにヘッド本体１１０の裏面に取付けられ、例えば嵌設、圧着、硬ろう付、溶接または螺着などの方式でヘッド本体１１０の裏面に取付けられる。カバープレート２５０の比重はヘッド本体１１０の比重未満であることにより、クラブヘッド１００の重心位置を変位させ、ウエイト配分の効果をもたらす。カバープレート２５０は適切な材質からなるプレート体に選択的に置換でき、軽質で高い強度特性を備えたその他金属または非金属材料、例えば比重が４.０以下の軽金属、各種高分子可塑性材料または高強度のファイバ材料からなるのが好ましい。この場合、第２の実施例の開放された振動吸収空間Ｓ’は振動吸収効果を更に高めるとともに、カバープレート２５０を組合わせることでウエイト配分の効果を達成するので、第２の実施例におけるクラブヘッド１００の打球効果が高められる。
【００２２】
カバープレート２５０をヘッド本体１１０に取付けた後、精密機械による加工工程でクラブヘッド１００を研磨および鏡面研磨して、突出した余剰物を除去するとともに、続いて塗装、保護コーティング処理および包装を行う。これにより完成されたクラブヘッド１００の完成品は優れた外観を持ち、規格に合致するものとなる。
【００２３】
（第３の実施例）
図７および図８を参照する。図７は本考案の第３の実施例に係るゴルフクラブヘッドのヘッド本体に振動吸収リングを装着していないときの正面概略図であり、図８は本考案の第３の実施例に係るゴルフクラブヘッドの断面概略図である。以下では、本実施例と第１の実施例との相違についてのみ説明を行い、相似する箇所については説明を省略する。
【００２４】
第１の実施例と比較して、第３の実施例におけるチャンバ１１４には複数の第３の結合凹部３１４ｃが設けられ、しかも振動吸収リング１３０には、第３の結合凹部３１４ｃに対応して結合する複数の第３の結合部３３３が設けられており、これら第３の結合部３３３は振動吸収リング１３０の一方側に突設されるとともに、第１の結合部１３１に対応している。したがって、第３の実施例における第３の結合凹部３１４ｃおよび第３の結合部３３３は振動吸収リング１３０をより一層堅固にヘッド本体１１０のチャンバ１１４内に装着させることができる。
【００２５】
（第４の実施例）
本考案の第４の実施例に係るゴルフクラブヘッドの断面概略図である図９を参照する。以下では、本実施例と第１の実施例との相違についてのみ説明を行い、相似する箇所については説明を省略する。第１の実施例と比較して、第４の実施例におけるヘッド本体１１０のチャンバ４１４は更に下方に向けて凹設される。ヘッド本体１１０の底部に延在することで、アンダカット構造（Ｕｎｄｅｒ Ｃｕｔ）を形成し、これによりクラブヘッド１００の重心位置を更に調節して、ウエイト配分の効果を達成するとともに、クラブヘッド１００によるボールの飛距離を伸ばすことができる。
【００２６】
（第５の実施例）
図１０ないし図１２を参照する。図１０は本考案の第５の実施例に係るゴルフクラブヘッドに振動吸収リングを装着していないときの正面概略図であり、図１１は本考案の第５の実施例に係るゴルフクラブヘッドのフェースプレートおよび振動吸収リングの正面概略図であり、図１２は本考案の第５の実施例に係るゴルフクラブヘッドの断面概略図である。以下では、本実施例と第１の実施例との相違についてのみ説明を行い、相似する箇所については説明を省略する。
【００２７】
第１の実施例と比較して、第５の実施例におけるヘッド本体１１０には、ヘッド本体１１０の上部側（つまりヘッド本体１１０のブレード部）に凹設されている露出凹部５１５が更に設けられており、ヘッド本体１１０の底側に対して、これによりヘッド本体１１０の重量をより減らすとともに、ヘッド本体１１０の重心位置を低くしている。この場合、振動吸収リング１３０は露出凸部５３３を有し、しかもフェースプレート１２０は、露出凹部５１５に対応して延在するとともに露出して、ヘッド本体１１０に対応して結合する露出凸部５２１を有している。また、第５の実施例におけるクラブヘッド１００には、例えばヘッド本体１１０の底側に設けられて、ヘッド本体１１０の重心位置を更に変位させるバランサウエイト５６０（比重は９以上であるのが好ましい）を設けることもできる。
【００２８】
上記した本考案の実施例から理解できるように、本考案のゴルフクラブヘッドはヘッド本体内に振動吸収リングを装着して振動吸収空間を形成しているので、衝撃を緩和する振動吸収能力を効果的に高めることができる。しかもヘッド本体のチャンバは、開放された振動吸収空間も形成することができるので、振動吸収効果を更に高めることができる。またヘッド本体のチャンバには振動吸収リングを組合わせてアンダカット構造（Ｕｎｄｅｒ Ｃｕｔ）を更に形成して、ウエイト配分の効果を達成するとともに、ボールの飛距離を伸ばすことができる。
【００２９】
本考案ではいくつかの実施例を上記のように開示したが、これは本考案を限定するためのものではなく、当業者であれば、本考案の技術的思想および範囲を逸脱することなく、各種の変更および修正を行うことができるので、本考案の保護範囲は別紙の実用新案登録請求の範囲による限定を基準とする。
【図面の簡単な説明】
【００３０】
【図１】本考案の第１の実施例に係るゴルフクラブヘッドの概略図である。
【図２】本考案の第１の実施例に係るゴルフクラブヘッドの断面図である。
【図３】本考案の第１の実施例に係るゴルフクラブヘッドのヘッド本体に振動吸収リングを装着していないときの概略図である。
【図４】本考案の第１の実施例に係るゴルフクラブヘッドの振動吸収リングの概略図である。
【図５】本考案の第１の実施例に係るゴルフクラブヘッドに振動吸収リングを装着したときの概略図である。
【図６】本考案の第２の実施例に係るゴルフクラブヘッドの断面図である。
【図７】本考案の第３の実施例に係るゴルフクラブヘッドのヘッド本体に振動吸収リングを装着していないときの概略図である。
【図８】本考案の第３の実施例に係るゴルフクラブヘッドの断面図である。
【図９】本考案の第４の実施例に係るゴルフクラブヘッドの断面図である。
【図１０】本考案の第５の実施例に係るゴルフクラブヘッドに振動吸収リングを装着していないときの概略図である。
【図１１】本考案の第５の実施例に係るゴルフクラブヘッドのフェースプレートおよび振動吸収リングの概略図である。
【図１２】本考案の第５の実施例に係るゴルフクラブヘッドの断面図である。
【符号の説明】
【００３１】
Ｓ、Ｓ’：振動吸収空間、１００：クラブヘッド、１１０：ヘッド本体、１１１：トゥー部、１１２：ヒール部、１１３：ネック部、１１４：チャンバ、１１４ａ：第１の結合凹部、１１４ｂ：第２の結合凹部、１２０：フェースプレート、１３０：振動吸収リング、１３１：第１の結合部、１３２：第２の結合部、２４０：背面穴、２５０：カバープレート、３１４ｃ：第３の結合凹部、３３３：第３の結合部、４１４：チャンバ、５１５：露出凹部、５２１：露出凸部、５３３：露出凸部、５６０：バランサウエイト、
【図１】
0003135787.tif 000003
【図２】
0003135787.tif 000004
【図３】
0003135787.tif 000005
【図４】
0003135787.tif 000006
【図５】
0003135787.tif 000007
【図６】
0003135787.tif 000008
【図７】
0003135787.tif 000009
【図８】
0003135787.tif 000010
【図９】
0003135787.tif 000011
【図１０】
0003135787.tif 000012
【図１１】
0003135787.tif 000013
【図１２】
0003135787.tif 000014